(57)【要約】【課題】壁面に近接して配置することが可能であり空間の有効利用を図ることができるとともに、スクリーン布の設置高さを高くしたり低くしたりすることがことが可能であり床の近傍や畳の近傍にもスクリーン布を設置することが容易なスクリーンを提供する。【解決手段】上面が開放可能な横長の収納ケースと、収納時にはこの収納ケース内にロール巻きして収納し、使用時にはこの収納ケースから引き出して使用するスクリーン布と、を有する折り畳み式スクリーンであって、一対の折り畳み可能な脚をさらに有することを特徴とする折り畳み式スクリーン。【選択図】　図１
2004037501.tif 000002
【特許請求の範囲】
【請求項１】
上面が開放可能な横長の収納ケースと、収納時にはこの収納ケース内にロール巻きして収納し、使用時にはこの収納ケースから引き出して使用するスクリーン布と、を有する折り畳み式スクリーンであって、
一対の折り畳み可能な脚をさらに有することを特徴とする折り畳み式スクリーン。
【請求項２】
請求項１に記載の折り畳み式スクリーンにおいて、
前記一対の脚には、脚の設置面積を大きくするためのフットがそれぞれ設けられていることを特徴とする折り畳み式スクリーン。
【請求項３】
請求項２に記載の折り畳み式スクリーンにおいて、
前記フットは、スクリーン使用時には、前記脚が開いているときも、前記脚が折り畳まれているときも、スクリーンの前後方向に長くなるように設定可能であることを特徴とする折り畳み式スクリーン。
【請求項４】
請求項２又は３に記載の折り畳み式スクリーンにおいて、
前記フットは、スクリーン使用時には、フット後方部よりもフット前方部が長くなるように構成されてなることを特徴とする折り畳み式スクリーン。
【請求項５】
請求項２乃至４のいずれかに記載の折り畳み式スクリーンにおいて、
前記フットは、スクリーン収納時には、スクリーンの左右方向に長くなるように設定可能であることを特徴とする折り畳み式スクリーン。
【請求項６】
請求項２乃至５のいずれかに記載の折り畳み式スクリーンにおいて、
前記脚及びフットは、スクリーン収納時には、いずれも前記収納ケースを上面から見た輪郭の内側に収まるように構成されてなることを特徴とする折り畳み式スクリーン。
【請求項７】
請求項２乃至６のいずれかに記載の折り畳み式スクリーンにおいて、
前記フットは、脚を支点として回転可能であることを特徴とする折り畳み式スクリーン。
【請求項８】
請求項２乃至７のいずれかに記載の折り畳み式スクリーンにおいて、
前記脚が折り畳まれたとき、前記フットが前記収納ケースに固定可能となる構造を有することを特徴とする折り畳み式スクリーン。
【請求項９】
請求項１乃至８のいずれかに記載の折り畳み式スクリーンにおいて、
前記脚が開いたときは前記脚が開いた状態で固定され、前記脚が折り畳まれたときは前記脚が前記収納ケースに固定可能となる構造を有することを特徴とする折り畳み式スクリーン。
【請求項１０】
請求項１乃至９のいずれかに記載の折り畳み式スクリーンにおいて、
前記収納ケースの両側側面には、それぞれ取っ手が設けられてなることを特徴とする折り畳み式スクリーン。
【請求項１１】
請求項１乃至１０のいずれかに記載の折り畳み式スクリーンにおいて、
前記スクリーン布の上部には、スクリーン使用時にこのスクリーン布を固定するための部材が設けられてなることを特徴とする折り畳み式スクリーン。
【請求項１２】
請求項１乃至１１のいずれかに記載の折り畳み式スクリーンにおいて、
前記収納ケースには、スクリーンの昇降を行う際に用いる棒が収納されてなることを特徴とする折り畳み式スクリーン。
【請求項１３】
上面が開放可能な横長の収納ケースと、
収納時にはこの収納ケース内にロール巻きして収納し、使用時にはこの収納ケースから引き出して使用する可能なスクリーン布と、
スクリーン本体の重量を支えるためのフットであって、スクリーン使用時には、フット後方部よりもフット前方部が長くなるように構成された回転可能なフットと、を有することを特徴とする折り畳み式スクリーン。
【請求項１４】
請求項１乃至１３のいずれかに記載の折り畳み式スクリーンにおいて、
前記スクリーン布の後方に設けられ上下の伸縮と折り畳みが可能となるパンタグラフ機構の主枠と、
この主枠を所望する伸縮状態に保つための弾性支持部材とをさらに有することを特徴とする折り畳み式スクリーン。
【請求項１５】
請求項１４に記載の折り畳み式スクリーンにおいて、
前記主枠の下部両側の枠材の途中に枢着されるとともに、ハ字状に配置した状態で上端を互いに枢止結合して下端部をケース内に固定したレールで横移動可能に支持した保持杵、をさらに有することを特徴とする折り畳み式スクリーン。
【発明の詳細な説明】
【０００１】
【発明が属する技術分野】
本発明は、オフィス、学校、店舗、家庭などにおいて、プロジェクタ、ＯＨＰ、スライドなどの各種投写光学装置の映像・画像を投写するために用いるスクリーンに関し、特に、使用しないときにスクリーン布を収納可能なスクリーンに関する。
【０００２】
【従来の技術】
図５は、登録実用新案公報第３０４０２３５号に開示された従来の三脚式スクリーンの構造を説明する図である。図５（ａ）は正面図、図５（ｂ）は側面図である。この三脚式スクリーン８００は、図５に示されるように、下部脚端に設けたキャスター８０５によって移動可能となる三脚８０３で支柱８０６を起立状に支持し、この支柱８０６にスクリーン８１３を該支柱８０６のまわりに回転自在となるよう取り付けた構造を有している。このため、大型で重量的に重いスクリーンでも手軽に移動させることができるという優れた特徴を有している。
【０００３】
しかしながら、この三脚式スクリーンは、スクリーン使用時に三脚を大きく広げる必要があるため、壁面に近接して配置することが困難であり、そのため、空間の有効利用ができないという問題点があった。
【０００４】
図６は、登録実用新案公報第３０８１０２７号に開示された従来の折り畳み式スクリーンの構造を説明する図である。図６（ａ）は正面図、図６（ｂ）及び図６（ｃ）は側面図である。なお、図６（ｂ）はスクリーン布を引き出した状態を示す図であり、図６（ｃ）はスクリーン布を折り畳んだ（巻き取った）状態を示す図である。この折り畳み式スクリーン９００は、図６に示されるように、上面が開放した横長のケース９０１内に、ロール巻きされたスクリーン布９０２と、スクリーン布９０２の後方位置に、四本の枠材を枢止結合して上下の伸縮と折り畳みが可能となるパンタグラフ機構の主枠９０３と、この主枠９０３を所望する伸縮状態に保つための弾性支持部材９０４とを設けた折り畳み式スクリーンであり、この主枠９０３の下位に位置する両側の枠材の途中を、上端部を枢軸９１４で互いに枢止結合して下端部を収納ケース９０１内に固定したレール９０７で横移動可能に支持した保持杆９１２、９１２で支持する構造を有している。
【０００５】
この従来の折り畳み式スクリーン９００は、三脚を用いることなくスクリーンを所定の高さに設置することができるため、壁面に近接して配置することが容易であり、そのため、空間の有効利用を図ることができるという優れた特徴を有している。
【０００６】
図７は、折り畳み式スクリーン９００の主枠９０３と両側保持杵９１２との関係を示す概略図であって、図７（ａ）はスクリーン布が引き出された状態を表す図であり、図７（ｂ）はスクリーン布が途中まで巻き取られた状態を表す図である。この折り畳み式スクリーン９００は、図７に示されるように、保持杵９１２の作用により、起立状態の主枠９０３を安定よく確実に支持することができ、スクリーン布９０２を引き出したときに、左右の揺動や傾斜、弛み等の発生を確実に防ぐことができるという優れた特徴を有している。
【０００７】
しかしながら、この折り畳み式スクリーン９００においては、スクリーン布の設置高さを低くすることができないため、例えば、床の近傍や畳の近傍にスクリーン布を設置することが容易ではないという問題点があった。
【０００８】
【発明が解決しようとする課題】
そこで、本発明は、上記の問題点に鑑みてなされたものであり、その目的は、壁面に近接して配置することが可能であり空間の有効利用を図ることができるとともに、スクリーン布の設置高さを高くしたり低くしたりすることが可能であり床の近傍や畳の近傍にもスクリーン布を設置することが容易なスクリーンを提供することである。
【０００９】
【課題を解決するための手段】
（１）本発明の折り畳み式スクリーンは、上面が開放可能な横長の収納ケースと、収納時にはこの収納ケース内にロール巻きして収納し、使用時にはこの収納ケースから引き出して使用するスクリーン布と、を有する折り畳み式スクリーンであって、一対の折り畳み可能な脚をさらに有することを特徴とする。
【００１０】
このため、本発明の折り畳み式スクリーンは、三脚を広げなくてもスクリーン布を所定の高さに設定できるため、壁面に近接して配置することが可能であり空間の有効利用を図ることができる。そのうえ、脚を開いたり折り畳んだりすることにより容易にスクリーン布の設置高さを高くしたり低くしたりすることができ床の近傍や畳の近傍にもスクリーン布を設置することが容易にできる。
【００１１】
上記（１）に記載の折り畳み式スクリーンにおいては、折り畳み可能な脚は、収納ケースの下部に取り付けることが好ましい。
【００１２】
（２）上記（１）に記載の折り畳み式スクリーンにおいては、前記一対の脚には、脚の設置面積を大きくするためのフットがそれぞれ設けられていることが好ましい。
【００１３】
このように構成することにより、脚の床等との設置面積が広くなるので，スクリーンの安定性を高めることができる。また、脚を折り畳んだときにも、このフットの作用により、スクリーンの安定性を高めることができる。
【００１４】
（３）上記（２）に記載の折り畳み式スクリーンにおいては、前記フットは、スクリーン使用時には、前記脚が開いているときも、前記脚が折り畳まれているときも、スクリーンの前後方向に長くなるように設定可能であることが好ましい。
【００１５】
このように構成することにより、スクリーンは通常前後方向に不安定となり倒れ易いものであるが、このスクリーンの前後方向に係る安定性を効果的に高めることができる。
【００１６】
（４）上記（２）又は（３）に記載の折り畳み式スクリーンにおいては、前記フットは、スクリーン使用時には、フット後方部よりもフット前方部が長くなるように構成されてなることが好ましい。
【００１７】
このように構成することにより、スクリーンを前面側に倒れるよるも背面側に倒れやすくすることができる。このため、スクリーンが万一倒れるようなことがあっても背面側に倒れることになる。通常スクリーンの背面側には、このスクリーンに近接して壁が存在しているため、スクリーンはこの壁に突き当たるがこれ以上は倒れないので、安全性が高い。
【００１８】
（５）上記（２）乃至（４）のいずれかに記載の折り畳み式スクリーンにおいては、前記フットは、スクリーン収納時には、スクリーンの左右方向に長くなるように設定可能であることが好ましい。
【００１９】
このように構成することにより、フットはスクリーンの左右方向に沿って、すなわち収納ケースに沿って配置されることになるため、余分な収納スペースをとることがない。
【００２０】
（６）上記（２）乃至（５）のいずれかに記載の折り畳み式スクリーンにおいては、前記脚及びフットは、スクリーン収納時には、いずれも前記収納ケースを上面から見た輪郭の内側に収まるように構成されてなることが好ましい。
【００２１】
このように構成することにより、収納ケースを段ボール箱に収納する際に段ボールを大きくする必要がなくなるし、収納ケースをそのまま保管室等に保管する際にも保管スペースを小さくすることができる。
【００２２】
（７）上記（２）乃至（６）のいずれかに記載の折り畳み式スクリーンにおいては、前記フットは、脚を支点として回転可能であることが好ましい。
【００２３】
このように構成することにより、フットを脚を支点にして回転させるだけの簡単な作業で、フットの向きを変更することができる。
【００２４】
（８）上記（２）乃至（７）のいずれかに記載の折り畳み式スクリーンにおいては、前記脚が折り畳まれたとき、前記フットが前記収納ケースに固定可能となる構造を有することが好ましい。
【００２５】
このように構成することにより、収納作業時にフットを収納ケースに固定できるので、収納作業の安全性が高まる。「フットが前記収納ケースに固定可能となる構造」としては、収納ケースの下部に設けられるピンなどを好ましく用いることができる。この場合、フットにも孔を設けておき、この孔に収納ケース下部に設けておいたピンを刺すことによって、フットが収納ケースに固定可能となる。
【００２６】
（９）上記（１）乃至（８）のいずれかに記載の折り畳み式スクリーンにおいては、前記脚が開いたとき前記脚が開いた状態で固定され、前記脚が折り畳まれたとき前記脚が前記収納ケースに固定可能となる構造を有することが好ましい。
【００２７】
このように構成することにより、スクリーン使用時にはスクリーンの安定性が高められ、スクリーン収納時には収納作業の安全性が高まる。「脚が前記収納ケースに固定可能となる構造」としては、収納ケースの下部に設けられる脚固定部材などを好ましく用いることができる。スクリーン収納時には、この脚固定部材に脚を固定する。
【００２８】
（１０）上記（１）乃至（９）のいずれかに記載の折り畳み式スクリーンにおては、前記収納ケースの両側側面には、それぞれ取っ手が設けられてなることが好ましい。
【００２９】
このように構成することにより、脚を開いたり脚を折り畳んだりする作業を行う際の作業性が向上する。
【００３０】
上記（１）乃至（１０）のいずれかに記載の折り畳み式スクリーンにおいては、前記収納ケースには、持ち手が設けられた上蓋が設けられてなることが好ましい。
【００３１】
このように構成することにより、スクリーンを収納する際には、この上蓋を閉めることにより、スクリーン布等が確実に収納される。また、収納時には持ち手を持つことにより、収納ケースを運搬したり収納ケースを段ボール箱へ収納したりする際の作業性が向上する。
【００３２】
（１１）上記（１）乃至（１０）のいずれかに記載の折り畳み式スクリーンにおいては、前記スクリーン布の上部には、スクリーン使用時にこのスクリーン布を固定するための部材が設けられてなることが好ましい。
【００３３】
このように構成することにより、スクリーン布を引き出した状態で、背面の壁などにこのスクリーン布を固定することができ、スクリーン布がより安定する。このため、この折り畳み式スクリーン自身の安定性が高まると同時に、スクリーン布に投写される画像・映像の画質が向上する。
【００３４】
（１２）上記（１）乃至（１１）のいずれかに記載の折り畳み式スクリーンにおいては、前記収納ケースには、スクリーンの昇降を行う際に用いる棒が収納されてなることが好ましい。
【００３５】
このように構成することにより、折り畳み式スクリーンが大型化しても、折り畳み式スクリーンに対して相対的に背の低い人が作業しても、スクリーンの引き出しや折り畳みの作業を容易に行えるようになる。
【００３６】
（１３）本発明の折り畳み式スクリーンは、上面が開放可能な横長の収納ケースと、収納時にはこの収納ケース内にロール巻きして収納し、使用時にはこの収納ケースから引き出して使用する可能なスクリーン布と、スクリーン本体の重量を支えるためのフットであって、スクリーン使用時にはフット後方部よりもフット前方部が長くなるように構成された回転可能なフットと、を有することを特徴とする。
【００３７】
このため、脚の有無によらず、スクリーンを前面側に倒れるよるも背面側に倒れやすくすることができる。このため、スクリーンが万一倒れるようなことがあっても背面側に倒れることになる。通常スクリーンの背面側には、このスクリーンに近接して壁が存在しているため、スクリーンはこの壁に突き当たるがこれ以上は倒れないので、安全性が高い。
【００３８】
（１４）上記（１）乃至（１３）のいずれかに記載の折り畳み式スクリーンにおいては、前記スクリーン布の後方に設けられ上下の伸縮と折り畳みが可能となるパンタグラフ機構の主枠と、この主枠を所望する伸縮状態に保つための弾性支持部材とをさらに有することが好ましい。
【００３９】
このように構成することにより、上記パンタグラフ機構の主枠と上記弾性支持部材の作用により、スクリーンの引き出しと巻取りとをスムーズに行うことが可能となる。
【００４０】
（１５）上記（１４）に記載の折り畳み式スクリーンにおいては、
前記主枠の下部両側の枠材の途中に枢着されるとともに、ハ字状に配置した状態で上端を互いに枢止結合して下端部をケース内に固定したレールで横移動可能に支持した保持杵、をさらに有することが好ましい。
【００４１】
このように構成することにより、この保持杵の作用により、起立状態の主枠を安定よく確実に支持することができ、スクリーン布を引き出したときに、左右の揺動や傾斜、弛み等の発生を確実に防ぐことができる。
【００４２】
【発明の実施の形態】
次に、図面を用いて、本発明の実施の形態を説明する。
【００４３】
（実施形態１）
図１乃至図３は、本発明の実施形態１に係る折り畳み式スクリーン１００の三面図である。このうち、図１は、脚を開いた状態でスクリーンを引き出した時の三面図であって、（ａ）は正面図、（ｂ）は上面図、（ｃ）は側面図である。また、図２は、脚を折り畳んだ状態でスクリーンを引き出したときの三面図であって、（ａ）は正面図、（ｂ）は上面図、（ｃ）は側面図である。また、図３は、脚を折り畳んだ状態でスクリーン布を巻き取ったときの三面図であって、（ａ）は正面図、（ｂ）は上面図、（ｃ）は側面図である。
【００４４】
この折り畳み式スクリーン１００は、図１乃至図３に示されるように、上面が開放可能な横長の収納ケース１０１と、収納時にはこの収納ケース１０１内にロール巻きして収納し、使用時にはこの収納ケース１０１から引き出して使用するスクリーン布１０２と、収納ケース１０１の下部に取り付けられた一対の折り畳み可能な脚１２０とを有している。
【００４５】
このため、折り畳み式スクリーン１００は、図１及び図２に示されるように、三脚を広げなくてもスクリーン布１０２を所定の高さに設定できるため、壁面に近接して配置することが可能であり空間の有効利用を図ることができる。そのうえ、図２に示されるように、脚１２０を脚を開いたり折り畳んだりすることにより容易にスクリーン布の設置高さを高くしたり低くしたりすることができ、床から所定高さの位置にも又は床の近傍や畳の近傍にもスクリーン布１０２を設置することが容易にできる。
【００４６】
折り畳み式スクリーン１００においては、図１及び図２に示されるように、一対の脚１２０には、設置面積を大きくするためのフット１２１がそれぞれ設けられている。このため、床との設置面積が広くなりスクリーンの安定性が高められている。また、図２に示されるように、脚１２０を折り畳んだときにも、フット１２１の作用によりスクリーンの安定性が高められている。
【００４７】
折り畳み式スクリーン１００においては、フット１２１は、スクリーン使用時には、脚１２０が開いているときも（図１参照。）、脚１２０が折り畳まれているときも（図２参照。）、前後方向に長くなるように構成されている。このため、スクリーンは通常前後方向に不安定となり倒れ易いものであるが、このスクリーンの前後方向に係る安定性が効果的に高められている。
【００４８】
折り畳み式スクリーン１００においては、図１及び図２に示されるように、フット１２１は、スクリーン使用時には、フット後方部１２１Ｂよりもフット前方部１２１Ｆが長くなるように構成されている。このため、スクリーンは前面側に倒れるよるも背面側に倒れやすくなる。この結果、スクリーン１００が万一倒れるようなことがあっても背面側に倒れることになる。通常スクリーンの背面側には、このスクリーンに近接して壁が存在しているため、スクリーン１００はこの壁に突き当たるがこれ以上は倒れないので、安全性が高い。
【００４９】
折り畳み式スクリーン１００においては、図３に示されるように、フット１２１は、スクリーン収納時には、スクリーンの左右方向に長くなるように構成されている。このため、フット１２１はスクリーンの左右方向に沿って、すなわち収納ケース１０１に沿って配置されることになるため、余分な収納スペースをとることがない。
【００５０】
折り畳み式スクリーン１００においては、図３に示されるように、脚１２０及びフット１２１は、スクリーン収納時には、いずれも収納ケース１０１を上面から見た輪郭の内側に収まるように構成されている。このため、収納ケース１０１を段ボール箱に収納する際に段ボールを大きくする必要がなくなるし、収納ケース１０１をそのまま保管室等に保管する際にも保管スペースを小さくすることができる。
【００５１】
折り畳み式スクリーン１００においては、フット１２１は、脚１２０を支点として回転可能である。このため、フット１２１を回転させるだけの簡単な作業で、フット１２１の向きを変更することができる。
【００５２】
折り畳み式スクリーン１００においては、図３に示されるように、脚１２０が折り畳まれたとき、フット１２１が収納ケース１０１に固定可能となる構造を有している。このため、収納作業時にフットを収納ケースに固定できるので、収納作業の安全性が高まる。「フット１２１が収納ケース１０１に固定可能となる構造」としては、収納ケース１０１の下部に設けられるピンなどを好ましく用いることができる。この場合、フット１２１にも孔を設けておき、この孔に収納ケース下部に設けておいたピンを刺すことによって、フット１２１が収納ケースに固定可能となる。
【００５３】
折り畳み式スクリーン１００においては、脚１２０が開いたときは脚１２０が開いた状態で固定され、脚１２０が折り畳まれたときは脚１２０が収納ケース１０１に固定可能となる構造を有している。このため、スクリーン使用時及びスクリーン収納時における、脚１２０の安定性・安全性が高まる。「脚１２０が折り畳まれたとき脚１２０が収納ケース１０１に固定可能となる構造」としては、図１に示されるように、収納ケース１０１の下部に設けられる脚固定部材１２２などを好ましく用いることができる。スクリーン収納時には、脚固定部材１２２に脚１２０を固定する。
【００５４】
折り畳み式スクリーン１００においては、図１乃至図３に示されるように、収納ケース１０１の両側側面には、それぞれ取っ手１３０が設けられている。このため、脚１２０を開いたり脚１２０を折り畳んだりする作業を行う際の作業性がよい。
【００５５】
折り畳み式スクリーン１００においては、図３に示されるように、収納ケース１０１には、持ち手１３２が設けられた上蓋１３１が設けられている。このため、スクリーンを収納する際には、この上蓋１３１を閉めることにより、スクリーン布１０２等が確実に収納される。また、収納時には持ち手１３２を持つことにより、収納ケース１０１を運搬したり収納ケース１０１を段ボール箱へ収納したりする際の作業性が向上する。
【００５６】
折り畳み式スクリーン１００においては、スクリーン布１０２の上部には、スクリーン使用時にこのスクリーン布１０２を固定するための部材として、穴の開いた固定金具が設けられている。このため、この固定金具にひもやチェーンを通し、このひもやチェーンをさらに背面の壁の固定部材に固定することにより、背面の壁などにこのスクリーン布１０２を固定することができ、スクリーン布１０２がより安定する。このため、この折り畳み式スクリーン１００自身の安定性が高まると同時に、スクリーン布１０２に投写される画像・映像の画質が向上する。
【００５７】
折り畳み式スクリーン１００においては、収納ケース１０１には、スクリーンの昇降を行う際に用いる棒（図示せず。）が収納されている。このため、折り畳み式スクリーンが大型化しても、折り畳み式スクリーンに対して相対的に背の低い人が作業しても、スクリーンの引き出しや折り畳みの作業を容易に行えるようになる。
【００５８】
折り畳み式スクリーン１００においては、図１及び図２に示されるように、スクリーン布１０２の後方に設けられ上下の伸縮と折り畳みが可能となるパンタグラフ機構の主枠１０３と、この主枠１０３を所望する伸縮状態に保つための弾性支持部材１０４と、上記主枠１０３の下部両側の枠材の途中に枢着されるとともに、ハ字状に配置した状態で上端を互いに枢止結合して下端部をケース内に固定したレール（図示せず。）で横移動可能に支持した保持杵１１２と、を有している。
【００５９】
このため、パンタグラフ機構の主枠１０３と弾性支持部材１０４との作用により、スクリーン布１０２の引き出しと折り畳み（巻取り）とをスムーズに行うことが可能となる。また、保持杵１１２の作用により、起立状態の主枠１０３を安定よく確実に支持することができ、スクリーン布１０２を引き出したときに、左右の揺動や傾斜、弛み等の発生を確実に防ぐことができる。
【００６０】
図４は、本発明の実施形態１に係る折り畳み式スクリーン１００の組立図である。図４（ａ）は段ボール箱に入った状態の図、図４（ｂ）は段ボール箱から出した状態の図、図４（ｃ）は脚を開いた図、図４（ｄ）はスクリーン布を引き出した状態の図である。このように、折り畳み式スクリーン１００は、床から所定高さの位置にスクリーンを設置する際には、段ボール１４０から出して、脚１２０を広げるとともにフット１２１を回転させ、さらにスクリーン布１０２を引き出して使用する。また、折り畳み式スクリーン１００は、床や畳の近傍にスクリーンを設置する際には、段ボール１４０から出して、脚１２０を広げることなくフット１２１を回転させ、さらにスクリーン布１０２を引き出して使用する。
【００６１】
（実施形態２）
実施形態２に係る折り畳み式スクリーンは、実施形態１に係る折り畳み式スクリーン１００とよく似た構造を有している。実施形態２に係る折り畳み式スクリーンが実施形態１に係る折り畳み式スクリーン１００と異なるのは、脚の有無である。すなわち、実施形態１に係る折り畳み式スクリーン１００においては、収納ケース１０１には脚１２０が取り付けられており、この脚の下部にフット１２１が取り付けられている。これに対して、実施形態２に係る折り畳み式スクリーンにおいては、フットが収納ケースに直接取り付けられていることを特徴としている。
【００６２】
実施形態２に係る折り畳み式スクリーンにおいては、フットが回転可能であって、スクリーン使用時にはフット後方部よりもフット前方部が長くなるように構成されている。このため、スクリーンを前面側に倒れるよるも背面側に倒れやすくすることができる。このため、スクリーンが万一倒れるようなことがあっても背面側に倒れる。通常スクリーンの背面側には、このスクリーンに近接して壁が存在しているため、スクリーンは壁に突き当たるがこれ以上は倒れないので、安全性が高い。
【図面の簡単な説明】
【図１】本発明の実施の形態に係る折り畳み式スクリーンの三面図である。
【図２】本発明の実施の形態に係る折り畳み式スクリーンの三面図である。
【図３】本発明の実施の形態に係る折り畳み式スクリーンの三面図である。
【図４】本発明の実施の形態に係る折り畳み式スクリーンの組立図である。
【図５】従来の三脚式スクリーンの三面図である。
【図６】従来の折り畳み式スクリーンの三面図である。
【図７】従来の折り畳み式スクリーンにおける主枠の伸縮を説明するための図である。
【符号の説明】
１００・・・本発明の折り畳み式スクリーン
１０１・・・収納ケース
１０２・・・スクリーン布
１０３・・・主枠
１０４・・・弾性支持部材
１０５・・・上縁桟
１０８・・・軸受
１１２・・・保持杵
１１３・・・枢軸
１１４・・・枢軸
１１５・・・転子
１２０・・・脚
１２１・・・フット
１２１Ｆ・・・フット前方部
１２１Ｂ・・・フット後方部
１２２・・・脚固定部材
１３０・・・取っ手
１３１・・・上蓋
１３２・・・持ち手
１４０・・・段ボール箱
８００・・・従来の三脚式スクリーン
８０１・・・三脚
８０３・・・主脚
８０４・・・補助脚
８０５・・・キャスター
８０６・・・支柱
８１０・・・スクリーンケース
８１２・・・伸縮自在金具
８１３・・・スクリーン
９００・・・従来の折り畳み式スクリーン
９０１・・・収納ケース
９０２・・・スクリーン布
９０３・・・主枠
９０４・・・弾性支持部材
９０５・・・上縁桟
９０６・・・支持台
９０７・・・レール
９０８・・・軸受
９１２・・・保持杵
９１３・・・枢軸
９１４・・・枢軸
９１５・・・転子
ａ・・・上端枢止点
ｂ・・・下端枢止点
【図１】
2004037501.tif 000003
【図２】
2004037501.tif 000004
【図３】
2004037501.tif 000005
【図４】
2004037501.tif 000006
【図５】
2004037501.tif 000007
【図６】
2004037501.tif 000008
【図７】
2004037501.tif 000009